(57)【要約】      （修正有）【課題】有形物の移動作業を簡単に行える昇降機能付き車両搭載の容器における蓋の開閉構造を提供する。【解決手段】回収用の容器本体１であって、有底で上部を開放し、前面に蓋３を有する容器本体１を設け、容器本体１の底にフォークリフトＸに搭載する搭載用ボックス備えた容器本体１の容器底部は，後部より蓋３方向に下降傾斜面に形成し、蓋は、容器本体１の前上部に蓋軸受台を回転可能に軸着し、蓋バランスウェート３ｆ、または、容器本体１の下部にキャスター設けた容器と前部に蓋３を設けて、有形物の回収時には、容器本体１にフックレバーにより閉塞しておき、枠体、又は、容器本体１を前方を下降操作することにより、フック部から開放され蓋３の蓋部バランスウェート３ｆや容器本体を傾けることにより、蓋３は開口して、有形物を容器に排出する。【選択図】図２
2019156640.tif 000002
【特許請求の範囲】
【請求項１】
有形物を回収するボックス状の容器体であって、該容器体は、有形物が投入される上面開口部と、前面部に設けられ、その上部を支点として、下部側が開放可能となる前面蓋と、前記容器体に回動可能に軸支され、その一方側に前記前面蓋の下部に設けられた係止部材に係合するフック部と、他方側に前記係止部材と前記フック部の係合を保持する方向へ付勢する付勢手段とを備えたフックレバー部材と、前記容器体に一方側が軸着され、他方側が接地面に接地される接地部材とを備えたアーム部材と、前記容器体に上部が軸支され、下部にウエイトを備えた振り子部材とを備え、前記アーム部材と、前記振り子部材の一方側に向いて延びるとともに、上下方向回動可能とした受板部材が設けられ、他方には、ピン部材が設けられおり、前記容器体が地面よりも上昇したときに、前記受板部材と前記ピン部材のいずれか一方が前フッレバー部材を回動させて該フッレバー部材のフック部と前記係止部材との係合を解除することを特徴とする、有形物回収容器体。
【請求項２】
前記容器体は、上面開口部と前面開口部とが形成されたボックス状の容器本体と該容器本体の外側に設けられた枠体とから構成され、前記前面蓋は、その上部が前記枠体の上部に軸支されて開放可能とされていることを特徴とする、請求項１記載の有形物回収容器体。
【請求項３】
前記振り子部材は、該振り子部材に一方が取り付けられ、他方が前記容器体に取り付けられた弾性体が設けられていることを特徴とする請求項１又は２記載の有形物回収容器体。
【発明の詳細な説明】
【技術分野】
【０００１】  この発明は、昇降機能付き車両搭載用の容器における蓋の開閉構造に関するものであり、特に、フォークリフトに搭載した有形物回収用容器蓋の開閉構造に関する。
【背景技術】
【０００２】  従来、空き缶や、複数の空き缶を収納した袋等の収集運搬車等による積み込み作業は、回収した容器を複数個、運搬車の荷台の箱上までフォークリフト持ち上げ、前作業として容器に取り付けられた、蓋を開くため、蓋を閉じる際にロックピン外しや取り付、フッレバーにロ−プを掛けてロープを引き、蓋を開く時、操作をし、時にはロープが切れることもありロープを取替え付けて直しをする必要あった、また、複数個の容器を扱うため、毎回フォークリフトに乗り降りする必要があり、時間を多く必要とした。【０００３】
【先行技術文献】
【特許文献】
【０００４】
【特許文献１】特開２０１３−１８４７８２号公報
【特許文献２】特開２０１４−９０３８号公報
【特許文献３】特開２０１２−０５１０００号公報
【特許文献４】特開２０１５−２４６７１６号公報
【発明の概要】
【発明が解決しようとする課題】
【０００５】  そこで、この発明の課題は、複数の容器のフォークリフトで搭載用車両容器の蓋の開口をするため作業者が容器の操作も無くフォークリフトからの乗り降りが無く楽で早く容易に蓋が開閉出来る、蓋の閉塞構造を開発することにある。
【課題を解決するための手段】
【０００６】    有形物を回収するボックス状の容器体であって、該容器体は、有形物が投入される上面開口部と、前面部に設けられ、その上部を支点として、下部側が開放可能となる前面蓋と、前記容器体に回動可能に軸支され、その一方側に前記前面蓋の下部に設けられた係止部材に係合するフック部と、他方側に前記係止部材と前記フック部の係合を保持する方向へ付勢する付勢手段とを備えたフックレバー部材と、前記容器体に一方側が軸着され、他方側が接地面に接地される接地部材とを備えたアーム部材と、前記容器体に上部が軸支され、下部にウエイトを備えた振り子部材とを備え、前記アーム部材と、前記振り子部材の一方側に向いて延びるとともに、上下方向回動可能とした受板部材が設けられ、他方には、ピン部材が設けられおり、前記容器体が地面よりも上昇たときに、前記受板部材と前記ピン部材のいずれか一方が前フッレバー部材を回動させて該フッレバー部材のフック部と前記係止部材との係合を解除することを特徴とする。【０００７】  前記容器体は、上面開口部と前面開口部とが形成されたボックス状の容器本体と該容器本体の外側に設けられた枠体とから構成され、前記前面蓋は、その上部が前記枠体の上部に軸支されて開放可能とされていることを特徴とする。
【請求項８】
前記振り子部材は、該振り子部材に一方が取り付けられ、他方が前記容器体に取り付けられた弾性体が設けられていることを特徴とする。
【発明の効果】
【０００９】そこで、この発明の課題は、複数の容器のフォークリフトで搭載用車両容器の蓋の開口をするため作業者が容器の操作も無くフォークリフトのフォクを上下あるいは、フォクの先端部を上下操作することにより、フォークリフトからの乗り降りをしなくても、容易に蓋が開き、容器本体を下降着地すると蓋が閉まる、操作が簡単で作業が早くなり、すぐれた効果を奏する、蓋の閉塞構造を開発することにある。
【図面の簡単な説明】
【００１０】
【図１】本発明の１実施例を示す正面図である、
【図２】本発明の１実施例を示す側面図である。
【図３】本発明の使用状態を示す説明拡大立体面図である。
【図４】本発明の使用状態を示す説明拡大立体面図である。
【図５】本発明のさらに他の実施例を示す一部欠截正面図である。
【図６】本発明のさらに他の実施例を示す一部欠截正面図である。
【図７】本発明の使用状態を示す説明側面図である。
【図８】本発明の使用状態を示す説明側面図である。
【図９】本発明の使用状態を示す説明側面図である
【図１０】本発明の使用状態を示す説明側面図である。
【図１１】本発明の使用状態を示す説明側面図である。
【図１２】本発明の使用状態を示す説明側面図である
【図１３】本発明の使用状態を示す説明側面図である。
【図１４】本発明のさらに他の実施例を示す一部欠截正面図である
【図１５】本発明のさらに他の実施例を示す一部欠截正面図である。
【図１６】本発明のさらに他の実施例を示す一部欠截側面図である。
【図１７】本発明の使用状態を示す説明側面図である。
【図１８】本発明の使用状態を示す説明側面図である。
【図１９】本発明の使用状態を示す説明側面図である
【図２０】本発明の使用状態を示す説明側面図である。
【図２１】本発明の使用状態を示す説明側面図である。
【発明を実施するための状態】
【００１１】  以下、この発明の好適な実施の形態として詳細に説明すると。尚、この発明においては、以下の記述に限定されるものではなく、この発明の要旨を逸脱しない範囲においては適宜変更可能である。
【実施例】
【００１２】  容器本体１は、図１、図２で示すように、容器本体１はボックス状の容器で上部と前部は開放し、底部５ｄは後部より前面向かって下降し、前面に蓋３を開閉するよう、容器本体１の前面上部に蓋軸受台１ｂを設け、蓋軸３ａは回転可能に軸着し蓋軸３ａには蓋３と蓋バランスウエイト３ｆを取付け、蓋３とリンクステアリングバー４ａとリンクアーム４ｄとでリンク機構を構成し、ステアリングバー４ａの先端にキャスター７ｊを取り付け、蓋３の下部に係合部５ｃを設けて、向かい側に係止部５ｃを備えたフックレバー５を設けあり、係合し蓋３を開閉する構成のようになっている。【００１３】  上記容器本体１の下部に、図１、搭載用ボックス１ｄ，１ｄが設けもけられており、フォークリフトＸのフォークを差し込むことで搭載移動できるようになっている。【００１４】    上記容器本体１の４隅の下部に着地足１ｇ設けられている。【００１５】    上記、容器本体１の前面上部に蓋軸受台１ｂを設け、蓋軸３ａを回転可能に軸着し、蓋軸３ａには前方の蓋３と容器本体の後方向けて、図１３、蓋バランスウエイト３ｆを取付け、蓋バランスウエイト３ｆは蓋軸３ａを軸芯として下降回転し、蓋３は、蓋３バランスウエイト３ｆの重量により蓋軸３ａを軸芯として、双方の重量バランスで蓋は回転して上昇し、開く状態の構造になっている、【００１６】    上記フックレバー５、は、図１６、に示すフック機構で、蓋３の下部の係合部３ｅを係止するため、向かい側に容器本体１の下部にはフックレバー５のフック軸５ａを軸芯として、前方に突出して、「つ」の文字の様な形状をした係止部５ｃがあり、軸５ａを軸心にして回動が出来て、後部に突出した先端付近にフックバネ５ｂが取付けられフックバネ５ｂはバネの反対側は容器本体１に取付けられ、フッレバー５のフックレバーストッパー５ｆに当たり、フッレバー５の回動を止められるようになっている、【００１７】    蓋３を閉塞するには、図１３、容器本体１の前部の蓋３が開いた状態から蓋３を容器本体１方向に押し圧すると、蓋３は回転して、下部に取付けられた係合部をフックレバー５はフックレバー先端に「つ」の様な形状した下面を押し上げてフックレバー５は回転し、フックバネ５ｂは伸び、係止部と蓋３の係合部は係合されフックバネ５ｂは収縮して蓋は閉塞することができる構造になっている。【００１８】    蓋３を開放するには、フォークリフトＸに容器本体１を搭載して移動上昇して、フックレバー５を開放方向に、図８、図１２、押し圧すると、フックレバー５は回転して係合部５ｃからフックレバー５の係止部５ｃから開放されて、蓋３は蓋軸３ａを軸芯として蓋３は回転して開き、有形物Ａは排出投下出来るようになっている。【００１９】    蓋を自動閉塞するには、前記、蓋３とリンクステアリングバー４ａとリンクアーム４ｄでリンク機構を構成して、ステアリングバーの先端にキャスター７ｅを取り付けて連動するように構成されて、図８、図９、図１０、フォークリフトＸに搭載し容器本体１上昇して有形物Ａを投下排出後し、容器本体１を下降し、リンクステアリングバー先端に取り付けられたキャスター４ｃが接地面に接地すると、接地圧力によりリンクステアリングバー４ａは、蓋バランスウエ��ト３ｆを押し上げ、蓋軸３ａを軸芯として蓋３は回転して蓋を閉塞し容器本体１も着地して、元の状態に復帰することができる、【００２０】    アーム７は、図３、図４、図５、図１７、図２０、軸７ａを中心にして回動出来るようになっている、軸７ａから下方側に突出した中間付近にウエイトと凸ピン、又はローラーがあり、先端には接地面に接地する、接地部７ｅが接地するように構成されている、凸ピン７ｄは振り子板６の板台６ｄに回転して乗る位置にアーム７の軸７ａは取付けられている、また、図５、中間付近にウエイト７ｂ、または、図６、アームバネ７ｆ、は押し圧応力が必要ためで、フックレバー５押さえ部７ｈはフックレバー７を押し圧するように構成してある。【００２１】    振り子軸板台６ａ図１８、図１９、に振り子板軸６ｂが取付けられ、振り子板６は振り子軸６ｂを中心にして回転可能に軸着し、振り子軸から下方側に突出した振り子板６は、中間付近へ受台面６ｅと返しストッパー面６ｆがあり、その中間付近に板台軸６ｃが取付けられて、板台軸６ｃを中心にして回転可能に軸着し板台６ｄが取付けられ、先端に振り子ウエイト取付けられている。【００２２】    アーム７と振り子板６にそれぞれに取付けられた、凸ぴん７ｄ、板台６ｄ、板台軸６ｃ、受台面６ｅ、返しストッパー面６ｆはアーム７に取り付けるか、振り子板６に取り付けるか入れ替えても良い。図１７、図１９、図２０、図２１のような構成である。【００２３】  前記振り子部材は、該振り子部材に一方が固定され、他方が前記容器体に、図１４、図１５、図１８、固定された、揺れ抑制バネ６ｈなどの弾性体を設けて揺れ抑制をする構造になっている。フォークリフト走行移動による不要な揺れを少なくし振り子板の板台からの凸ぴんは外れて落下しないようにする、構成になっている。【００２４】１図、通常は容器本体１の着地足１が接地面Ｇに接地していて、図３、アーム７の接地部７ｅも接地して、アーム７の接地部７ｅは接地面Ｇにより上に押し上げられている状態であって、凸ぴん７ｄは板台６ｄの上に位置している。図７〜図８、容器本体１内の有形物Ａ排出投下するには、フォークリフトＸにより、容器本体１を上昇させて、接地面Ｇから着地足離れ、アーム７回転下降し凸ぴん７ｄも共に下降して、振り子板６の板台の上に乗るまでは着地部７ｅは接地面Ｇに着地したままで板台に接触して乗り、容器本体１がさらに、上昇すると接地部７ｅも接地面Ｇから離れ凸ぴん７ｄは、図３、板台６ｄ乗った状態で上昇移して容器本体１を、図７、後部に方向に傾けると凸ぴん７ｄは板台軸６ｃ方向の位置となり、板台から落下しにくくなる。【００２５】有形物Ａを排出する時には、フォークリフトＸのフォークの先端を下降し、容器本体１の前方を下方側に傾けると板台６ｄから凸ぴんは外れて落下すると、フックレバー押さえ部７ｈはフックレバー５を押し圧して、フックレバー５は回転して、蓋３の下部の係合部５ｃからフックレバー５の係止部５ｃから開放されて、蓋３は蓋軸３ａを軸芯として蓋３は回転して開き、有形物Ａは排出投下される。【００２６】図９〜図１０、容器本体１を水平方向に戻して、容器本体１が下降すると、アーム７の接地部、ステアリングバーの先端に取付けられたキャスター４ｃ、または、容器本体１の前面下部に取付けられた容器本体キャスター１ｊが接地面に着地し、アーム７の先端の接地部７ｅも接地面反発圧力により、アーム７は上昇する。【００２７】図４、振り子板６の板台６ｄはアーム７の凸ぴん７ｄは板台の裏面に当たり板台軸６ｃを軸芯として、板台６ｃは凸ぴん７ｄに押上げられて回転して、凸ぴん７ｄは板台６ｄの上部に移動して元の位置復帰し、板台６ｄは凸ぴん７ｄから外れて反転し、図３、元の状態の板台受面に乗り、元の状態に復帰する。【００２８】図１０、蓋３もリンクステアリングバー４ａに取り付けられたキャスターの接地面の反発圧力によりリンク機構４で連結連動している蓋３も閉じ、アーム７も元の位置に状態に戻り、蓋３の下部に取付られた係合部３ｅをフックレバー５の係止部に係合して蓋３は閉塞して元の状態に復帰することができる。【００２９】前記した実施例の説明では、蓋３は自動的に閉まる構成としたが、図１３図に示すように蓋３を手で押して蓋を開閉じることもできる。
【符号の説明】
【００３０】１    容器本体
１Ａ  枠形用容器本体
１ａ  枠体容器本体軸受台
１ｂ  蓋軸受台
１ｃ  搭載用ボックス
１ｄ  バネ受台
１ｅ  容器底部
１ｆ  容器本体回転軸
１ｇ  着地足
１ｈ  容器軸受
１ｊ  容器本体キャスター
２    枠体
３    蓋
３ａ  蓋軸
３ｂ  蓋アーム
３ｃ  蓋フックアーム
３ｄ  蓋ローラー軸
３ｅ  係合部
３ｆ  蓋バランスウエイト
４    リンク機構
４ａ  リンクステアリングバー
４ｂ  リンク軸
４ｃ  キャスター
４ｄ  リンクアーム
５    フックレバー
５ａ  フックレバー軸
５ａ１  フックレバー軸受
５ｂ  フックバネ
５ｃ  係止部
５ｄ  後部
５ｅ  フック上面
５ｆ  フックレバーストッパー
５ｇ  誘導部
６    振り子板
６ａ  振り子板軸受台
６ｂ  振子板軸
６ｃ  板台軸
６ｄ  板台
６ｅ  板台受面
６ｆ  返しストッパー面
６ｇ  振り子ウエイト
６ｈ  揺れ抑制バネ
６ｊ  取付け台
７    アーム
７Ａ  アームＡ
７ａ  軸
７ｂ  ウエイト
７ｃ  凸受部
７ｄ  凸ピン
７ｅ  接地部
７ｆ  アームバネ
７ｇ  バネ台
７ｈ  フッレバー押さえ部
７ｊ  キャスター
８    バランス中心線
８Ａ  傾き前バランス中心線
Ａ    有形物
Ｇ    接地面
Ｘ    フォークリフト
【図１】
2019156640.tif 000003
【図２】
2019156640.tif 000004
【図３】
2019156640.tif 000005
【図４】
2019156640.tif 000006
【図５】
2019156640.tif 000007
【図６】
2019156640.tif 000008
【図７】
2019156640.tif 000009
【図８】
2019156640.tif 000010
【図９】
2019156640.tif 000011
【図１０】
2019156640.tif 000012
【図１１】
2019156640.tif 000013
【図１２】
2019156640.tif 000014
【図１３】
2019156640.tif 000015
【図１４】
2019156640.tif 000016
【図１５】
2019156640.tif 000017
【図１６】
2019156640.tif 000018
【図１７】
2019156640.tif 000019
【図１８】
2019156640.tif 000020
【図１９】
2019156640.tif 000021
【図２０】
2019156640.tif 000022
【図２１】
2019156640.tif 000023
【手続補正書】
【提出日】平成31年3月11日(2019.3.11)
【手続補正１】
【補正対象書類名】明細書
【補正対象項目名】全文
【補正方法】変更
【補正の内容】
【発明の詳細な説明】
【技術分野】
【０００１】  この発明は、昇降機能付き車両搭載用の容器における蓋の開閉構造に関するものであり、特に、フォークリフトに搭載した有形物回収用容器蓋の開閉構造に関する。
【背景技術】
【０００２】  従来、空き缶や、複数の空き缶を収納した袋等の収集運搬車等による積み込み作業は、回収した容器を複数個、運搬車の荷台の箱上までフォークリフト持ち上げ、前作業として容器に取り付けられた、蓋を開くため、蓋を閉じる際にロックピン外しや取り付、フッレバーにロ−プを掛けてロープを引き、蓋を開く時、操作をし、時にはロープが切れることもありロープを取替え付けて直しをする必要あった、また、複数個の容器を扱うため、毎回フォークリフトに乗り降りする必要があり、時間を多く必要とした。【０００３】
【先行技術文献】
【特許文献】
【０００４】
【特許文献１】特開２０１３−１８４７８２号公報
【特許文献２】特開２０１４−９０３８号公報
【特許文献３】特開２０１２−０５１０００号公報
【特許文献４】特開２０１５−２４６７１６号公報
【発明の概要】
【発明が解決しようとする課題】
【０００５】  そこで、この発明の課題は、複数の容器のフォークリフトで搭載用車両容器の蓋の開口をするため作業者が容器の操作も無くフォークリフトからの乗り降りが無く楽で早く容易に蓋が開閉出来る、蓋の閉塞構造を開発することにある。
【課題を解決するための手段】
【０００６】  有形物を回収するボックス状の容器体であって、該容器体は、有形物が投入される上面開面開口部と、前面部に設けられ、その上部を支点として、下部側が開放可能となる前面蓋と、前記容器体に回動可能に軸支され、その一方側に前記前面蓋の下部に設けられた係止部材に係合するフック部と、他方側に前記係止部材と前記フック部の係合を保持する方向へ付勢する付勢手段とを備えたフックレバー部材と、前記容器体に一方側が軸着され、他方側が接地面に接地される接地部材とを備えたアーム部材と、前記容器体に上部が軸支され、下部にウエイトを備えた振り子部材とを備え、前記アーム部材と、前記振り子部材の一方には、他方側に向いて延びるとともに、上下方向回動可能とした受板部材が設けられ、前記アーム部材と、前記振り子部材の他方には、ピン部材が設けられおり、前記容器体が地面よりも上昇したときに、前記受板部材と前記ピン部材のいずれか一方が前記フックバー部材を回動させて該フックバー部材のフック部と前記係止部材との係合を解除することを特徴とする、有形物回収容器体。【０００７】  前記容器体は、上面開口部と前面開口部とが形成されたボックス状の容器本体と該容器本体の外側に設けられた枠体とから構成され、前記前面蓋は、その上部が前記枠体の上部に軸支されて開放可能とされていることを特徴とする。【０００８】  前記振り子部材は、該振り子部材に一方が取り付けられ、他方が前記容器体に取り付けられた弾性体が設けられていることを特徴とする。
【発明の効果】
【０００９】そこで、この発明の課題は、複数の容器のフォークリフトで搭載用車両容器の蓋の開口をするため作業者が容器の操作も無くフォークリフトのフォークを上下あるいは、フォークの先端部を上下操作することにより、フォークリフトからの乗り降りをしなくても、容易に蓋が開き、容器本体を下降着地すると蓋が閉まる、操作が簡単で作業が早くなり、すぐれた効果を奏する、蓋の閉塞構造を開発することにある。
【図面の簡単な説明】
【００１０】
【図１】本発明の１実施例を示す正面図である、
【図２】本発明の１実施例を示す側面図である。
【図３】本発明の使用状態を示す説明拡大立体面図である。
【図４】本発明の使用状態を示す説明拡大立体面図である。
【図５】本発明のさらに他の実施例を示す一部欠截正面図である。
【図６】本発明のさらに他の実施例を示す一部欠截正面図である。
【図７】本発明の使用状態を示す説明側面図である。
【図８】本発明の使用状態を示す説明側面図である。
【図９】本発明の使用状態を示す説明側面図である
【図１０】本発明の使用状態を示す説明側面図である。
【図１１】本発明の使用状態を示す説明側面図である。
【図１２】本発明の使用状態を示す説明側面図である
【図１３】本発明の使用状態を示す説明側面図である。
【図１４】本発明のさらに他の実施例を示す一部欠截正面図である
【図１５】本発明のさらに他の実施例を示す一部欠截正面図である。
【図１６】本発明のさらに他の実施例を示す一部欠截側面図である。
【図１７】本発明の使用状態を示す説明側面図である。
【図１８】本発明の使用状態を示す説明側面図である。
【図１９】本発明の使用状態を示す説明側面図である
【図２０】本発明の使用状態を示す説明側面図である。
【図２１】本発明の使用状態を示す説明側面図である。
【発明を実施するための状態】
【００１１】  以下、この発明の好適な実施の形態として詳細に説明すると。尚、この発明においては、以下の記述に限定されるものではなく、この発明の要旨を逸脱しない範囲においては適宜変更可能である。
【実施例】
【００１２】  容器本体１は、図１、図２で示すように、容器本体１はボックス状の容器で上部と前部は開放し、底部１ｅは後部より前面向かって下降し、前面に蓋３を開閉するよう、容器本体１の前面上部に蓋軸受台１ｂを設け、蓋軸３ａは回転可能に軸着し蓋軸３ａには蓋３と蓋バランスウエイト３ｆを取付け、蓋３とリンクステアリングバー４ａとリンクアーム４ｄとでリンク機構を構成し、ステアリングバー４ａの先端にキャスター４ｃを取り付け、蓋３の下部に係合部３ｅを設けて、向かい側に係止部５ｃを備えたフックレバー５を設けあり、係合し蓋３を開閉する構成のようになっている。【００１３】  上記容器本体１の下部に、図１、搭載用ボックス１ｄ，が設けられており、フォークリフトＸのフォークを差し込むことで搭載移動できるようになっている。【００１４】    上記容器本体１の４隅の下部に着地足１ｇ設けられている。【００１５】    上記、容器本体１の前面上部に蓋軸受台１ｂを設け、蓋軸３ａを回転可能に軸着し、蓋軸３ａには前方の蓋３と容器本体の後方向けて、図１３、蓋バランスウエイト３ｆを取付け、蓋バランスウエイト３ｆは蓋軸３ａを軸芯として下降回転し、蓋３は、蓋３バランスウエイト３ｆの重量により蓋軸３ａを軸芯として、双方の重量バランスで蓋は回転して上昇し、開く状態の構造になっている、【００１６】    上記フックレバー５、は、図１６、に示すフック機構で、蓋３の下部の係合部３ｅを係止するため、向かい側に容器本体１の下部にはフックレバー５のフック軸５ａを軸芯として、前方に突出して、「つ」の文字の様な形状をした係止部５ｃがあり、軸５ａを軸心にして回動が出来て、後部に突出した先端付近にフックバネ５ｂが取付けられフックバネ５ｂはバネの反対側は容器本体１に取付けられ、フッレバー５のフックレバーストッパー５ｆに当たり、フッレバー５の回動を止められるようになっている、【００１７】    蓋３を閉塞するには、図１３、容器本体１の前部の蓋３が開いた状態から蓋３を容器本体１方向に押し圧すると、蓋３は回転して、下部に取付けられた係合部をフックレバー５はフックレバー先端に「つ」の様な形状した下面を押し上げてフックレバー５は回転し、フックバネ５ｂは伸び、係止部と蓋３の係合部は係合されフックバネ５ｂは収縮して蓋は閉塞することができる構造になっている。【００１８】    蓋３を開放するには、フォークリフトＸに容器本体１を搭載して移動上昇して、フックレバー５を開放方向に、図８、図１２、押し圧すると、フックレバー５は回転して係合部５ｃからフックレバー５の係止部５ｃから開放されて、蓋３は蓋軸３ａを軸芯として蓋３は回転して開き、有形物Ａは排出投下出来るようになっている。【００１９】    蓋を自動閉塞するには、前記、蓋３とリンクステアリングバー４ａとリンクアーム４ｄでリンク機構を構成して、ステアリングバーの先端にキャスター４ｃを取り付けて連動するように構成されて、図８、図９、図１０、フォークリフトＸに搭載し容器本体１上昇して有形物Ａを投下排出後し、容器本体１を下降し、リンクステアリングバー先端に取り付けられたキャスター４ｃが接地面に接地すると、接地圧力によりリンクステアリングバー４ａは、蓋バランスウエイト３ｆ��押し上げ、蓋軸３ａを軸芯として蓋３は回転して蓋を閉塞し容器本体１も着地して、元の状態に復帰することができる、【００２０】    アーム７は、図３、図４、図５、図１７、図２０、軸７ａを中心にして回動出来るようになっている、軸７ａから下方側に突出した中間付近にウエイトと凸ピン、又はローラーがあり、先端には接地面に接地する、接地部７ｅが接地するように構成されている、凸ピン７ｄは振り子板６の板台６ｄに回転して乗る位置にアーム７の軸７ａは取付けられている、また、図５、中間付近にウエイト７ｂ、または、図６、アームバネ７ｆ、は押し圧応力が必要ためで、フックレバー５押さえ部７ｈはフックレバー７を押し圧するように構成してある。【００２１】    振り子軸受板受台６ａ図１８、図１９、に振り子板軸６ｂが取付けられ、振り子板６は振り子軸６ｂを中心にして回転可能に軸着し、振り子軸から下方側に突出した振り子板６は、中間付近へ受台面６ｅと返しストッパー面６ｆがあり、その中間付近に板台軸６ｃが取付けられて、板台軸６ｃを中心にして回転可能に軸着し板台６ｄが取付けられ、先端に振り子ウエイト取付けられている。【００２２】    アーム７と振り子板６にそれぞれに取付けられた、凸ぴん７ｄ、板台６ｄ、板台軸６ｃ、受台面６ｅ、返しストッパー面６ｆはアーム７に取り付けるか、振り子板６に取り付けるか入れ替えても良い。図１７、図１９、図２０、図２１のような構成である。【００２３】  前記振り子部材は、該振り子部材に一方が固定され、他方が前記容器体に、図１４、図１５、図１８、固定された、揺れ抑制バネ６ｈなどの弾性体を設けて揺れ抑制をする構造になっている。フォークリフト走行移動による不要な揺れを少なくし振り子板の板台からの凸ぴんは外れて落下しないようにする、構成になっている。【００２４】１図、通常は容器本体１の着地足１が接地面Ｇに接地していて、図３、アーム７の接地部７ｅも接地して、アーム７の接地部７ｅは接地面Ｇにより上に押し上げられている状態であって、凸ぴん７ｄは板台６ｄの上に位置している。図７〜図８、容器本体１内の有形物Ａ排出投下するには、フォークリフトＸにより、容器本体１を上昇させて、接地面Ｇから着地足離れ、アーム７回転下降し凸ぴん７ｄも共に下降して、振り子板６の板台の上に乗るまでは着地部７ｅは接地面Ｇに着地したままで板台に接触して乗り、容器本体１がさらに、上昇すると接地部７ｅも接地面Ｇから離れ凸ぴん７ｄは、図３、板台６ｄ乗った状態で上昇移して容器本体１を、図７、後部に方向に傾けると凸ぴん７ｄは板台軸６ｃ方向の位置となり、板台から落下しにくくなる。【００２５】有形物Ａを排出する時には、フォークリフトＸのフォークの先端を下降し、容器本体１の前方を下方側に傾けると板台６ｄから凸ぴんは外れて落下すると、フックレバー押さえ部７ｈはフックレバー５を押し圧して、フックレバー５は回転して、蓋３の下部の係合部５ｃからフックレバー５の係止部５ｃから開放されて、蓋３は蓋軸３ａを軸芯として蓋３は回転して開き、有形物Ａは排出投下される。【００２６】図９〜図１０、容器本体１を水平方向に戻して、容器本体１が下降すると、アーム７の接地部、ステアリングバーの先端に取付けられたキャスター４ｃ、または、容器本体１の前面下部に取付けられた容器本体キャスター１ｊが接地面に着地し、アーム７の先端の接地部７ｅも接地面反発圧力により、アーム７は上昇する。【００２７】図４、振り子板６の板台６ｄはアーム７の凸ぴん７ｄは板台の裏面に当たり板台軸６ｃを軸芯として、板台６ｄは凸ぴん７ｄに押上げられて回転して、凸ぴん７ｄは板台６ｄの上部に移動して元の位置復帰し、板台６ｄは凸ぴん７ｄから外れて反転し、図３、元の状態の板台受面に乗り、元の状態に復帰する。【００２８】図１０、蓋３もリンクステアリングバー４ａに取り付けられたキャスターの接地面の反発圧力によりリンク機構４で連結連動している蓋３も閉じ、アーム７も元の位置に状態に戻り、蓋３の下部に取付られた係合部３ｅをフックレバー５の係止部に係合して蓋３は閉塞して元の状態に復帰することができる。【００２９】前記した実施例の説明では、蓋３は自動的に閉まる構成としたが、図３に示すように蓋３を手で押して蓋を開閉じることもできる。
【符号の説明】
【００３０】１      容器本体
１Ａ    枠形用容器本体
１ａ    枠体容器本体軸受台
１ｂ    蓋軸受台
１ｃ    搭載用ボックス
１ｄ    バネ受台
１ｅ    容器底部
１ｆ    容器本体回転軸
１ｇ    着地足
１ｈ    容器軸受
１ｊ    容器本体キャスター
２      枠体
３      蓋
３ａ    蓋軸
３ｂ    蓋アーム
３ｃ    蓋フックアーム
３ｄ    蓋ローラー軸
３ｅ    係合部
３ｆ    蓋バランスウエイト
４      リンク機構
４ａ    リンクステアリングバー
４ｂ    リンク軸
４ｃ    キャスター
４ｄ    リンクアーム
５      フックレバー
５ａ    フックレバー軸
５ａ１  フックレバー軸受
５ｂ    フックバネ
５ｃ    係止部
５ｄ    後部
５ｅ    フック上面
５ｆ    フックレバーストッパー
５ｇ    誘導部
６      振り子板
６ａ    振り子板軸受台
６ｂ    振子板軸
６ｃ    板台軸
６ｄ    板台
６ｅ    板台受面
６ｆ    返しストッパー面
６ｇ    振り子ウエイト
６ｈ    揺れ抑制バネ
６ｊ    取付け台
７      アーム
７Ａ    アームＡ
７ａ    軸
７ｂ    ウエイト
７ｃ    凸受部
７ｄ    凸ピン
７ｅ    接地部
７ｆ    アームバネ
７ｇ    バネ台
７ｈ    フッレバー押さえ部
７ｊ    キャスター
８      バランス中心線
８Ａ    傾き前バランス中心線
Ａ      有形物
Ｇ      接地面
Ｘ      フォークリフト
【手続補正２】
【補正対象書類名】特許請求の範囲
【補正対象項目名】全文
【補正方法】変更
【補正の内容】
【特許請求の範囲】
【請求項１】
有形物を回収するボックス状の容器体であって、該容器体は、有形物が投入される上面開面開口部と、前面部に設けられ、その上部を支点として、下部側が開放可能となる前面蓋と、前記容器体に回動可能に軸支され、その一方側に前記前面蓋の下部に設けられた係止部材に係合するフック部と、他方側に前記係止部材と前記フック部の係合を保持する方向へ付勢する付勢手段とを備えたフックレバー部材と、前記容器体に一方側が軸着され、他方側が接地面に接地される接地部材とを備えたアーム部材と、前記容器体に上部が軸支され、下部にウエイトを備えた振り子部材とを備え、前記アーム部材と、前記振り子部材の一方には、他方側に向いて延びるとともに、上下方向回動可能とした受板部材が設けられ、前記アーム部材と、前記振り子部材の他方には、ピン部材が設けられおり、前記容器体が地面よりも上昇したときに、前記受板部材と前記ピン部材のいずれか一方が前記フックバー部材を回動させて該フックバー部材のフック部と前記係止部材との係合を解除することを特徴とする、有形物回収容器体。
【請求項２】
前記容器体は、上面開口部と前面開口部とが形成されたボックス状の容器本体と該容器本体の外側に設けられた枠体とから構成され、前記前面蓋は、その上部が前記枠体の上部に軸支されて開放可能とされていることを特徴とする、請求項１記載の有形物回収容器体。
【請求項３】
前記振り子部材は、該振り子部材に一方が取り付けられ、他方が前記容器体に取り付けられた弾性体が設けられていることを特徴とする請求項１又は２記載の有形物回容器体。